【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
第１の電極を有する第１の基板と、第２の電極を有する第２の基板とが、配向膜及び液晶層を介して接合されてなる液晶表示装置であって、
前記液晶層は、液晶中に当該液晶分子を所定方向に配向させるためのポリマー構造物が形成されており、前記液晶がパネル内に注入されるときに、前記液晶層の表示部位とその周縁部位とでその注入速度がほぼ等しいことを特徴とする液晶表示装置。
【請求項２】
前記液晶分子が前記液晶層の表示部位とその周縁部位とで略同等のプレチルト角を有することを特徴とする請求項１に記載の液晶表示装置。
【請求項３】
第１の電極を有する第１の基板と、第２の電極を有する第２の基板とが、配向膜及び液晶層を介して接合されてなる液晶表示装置であって、
前記液晶層は、液晶中に当該液晶分子を所定方向に配向させるためのポリマー構造物が形成されており、
前記液晶分子が前記液晶層の表示部位とその周縁部位とで略同等のプレチルト角を有することを特徴とする液晶表示装置。
【請求項４】
前記周縁部位は、前記基板上の前記配向膜と、前記第１の基板と前記第２の基板とを接合するシール材との間の領域として画定されており、
前記シール材が前記配向膜まで内寄せ配置されていることを特徴とする請求項１〜３のいずれか１項に記載の液晶表示装置。
【請求項５】
前記周縁部位は、前記基板上の前記配向膜と、前記第１の基板と前記第２の基板とを接合するシール材との間の領域として画定されており、
前記配向膜が前記シール材まで拡大配置されていることを特徴とする請求項１〜４のいずれか１項に記載の液晶表示装置。
【請求項６】
前記周縁部位の一部に撥油性樹脂が塗布されていることを特徴とする請求項１〜４のいずれか１項に記載の液晶表示装置。
【請求項７】
前記周縁部位は、液晶注入部位と対向する部位が幅広に、その他の部位が幅狭に形成されていることを特徴とする請求項１〜３のいずれか１項に記載の液晶表示装置。
【手続補正２】
【補正対象書類名】明細書
【補正対象項目名】０００７
【補正方法】変更
【補正の内容】
【０００７】
本発明の液晶表示装置は、第１の電極を有する第１の基板と、第２の電極を有する第２の基板とが、配向膜及び液晶層を介して接合されてなる液晶表示装置であって、前記液晶層は、液晶中に当該液晶分子を所定方向に配向させるためのポリマー構造物が形成されており、前記液晶がパネル内に注入されるときに、前記液晶層の表示部位とその周縁部位とでその注入速度がほぼ等しい。
本発明の液晶表示装置は、第１の電極を有する第１の基板と、第２の電極を有する第２の基板とが、配向膜及び液晶層を介して接合されてなる液晶表示装置であって、前記液晶層は、液晶中に当該液晶分子を所定方向に配向させるためのポリマー構造物が形成されており、前記液晶分子が前記液晶層の表示部位とその周縁部位とで略同等のプレチルト角を有する。
【手続補正３】
【補正対象書類名】明細書
【補正対象項目名】００３０
【補正方法】変更
【補正の内容】
【００３０】
（付記１）第１の電極を有する第１の基板と、第２の電極を有する第２の基板とが、配向膜及び液晶層を介して接合されてなる液晶表示装置であって、
前記液晶層は、液晶中に当該液晶分子を所定方向に配向させるためのポリマー構造物が形成されており、
前記液晶がパネル内に注入されるときに、前記液晶層の表示部位とその周縁部位とでその注入速度がほぼ等しいことを特徴とする液晶表示装置。
【手続補正４】
【補正対象書類名】明細書
【補正対象項目名】００３１
【補正方法】変更
【補正の内容】
【００３１】
（付記２）
前記液晶分子が前記液晶層の表示部位とその周縁部位とで略同等のプレチルト角を有することを特徴とする付記１に記載の液晶表示装置。
【手続補正５】
【補正対象書類名】明細書
【補正対象項目名】００３２
【補正方法】変更
【補正の内容】
【００３２】
（付記３）
第１の電極を有する第１の基板と、第２の電極を有する第２の基板とが、配向膜及び液晶層を介して接合されてなる液晶表示装置であって、
前記液晶層は、液晶中に当該液晶分子を所定方向に配向させるためのポリマー構造物が形成されており、
前記液晶分子が前記液晶層の表示部位とその周縁部位とで略同等のプレチルト角を有することを特徴とする記載の液晶表示装置。
【手続補正６】
【補正対象書類名】明細書
【補正対象項目名】００３３
【補正方法】変更
【補正の内容】
【００３３】
（付記４）前記周縁部位は、前記基板上の前記配向膜と、前記第１の基板と前記第２の基板とを接合するシール材との間の領域として画定されており、
前記シール材が前記配向膜まで内寄せ配置されていることを特徴とする付記１〜３の
いずれか１項に記載の液晶表示装置。
【手続補正７】
【補正対象書類名】明細書
【補正対象項目名】００３４
【補正方法】変更
【補正の内容】
【００３４】
（付記５）前記周縁部位は、前記基板上の前記配向膜と、前記第１の基板と前記第２の基板とを接合するシール材との間の領域として画定されており、
前記配向膜が前記シール材まで拡大配置されていることを特徴とする付記１〜４のいずれか１項に記載の液晶表示装置。
（付記６）前記周縁部位の一部に撥油性樹脂が塗布されていることを特徴とする付記１〜４のいずれか１項に記載の液晶表示装置。
（付記７）前記周縁部位は、液晶注入部位と対向する部位が幅広に、その他の部位が幅狭に形成されていることを特徴とする付記１〜３のいずれか１項に記載の液晶表示装置。
【手続補正８】
【補正対象書類名】明細書
【補正対象項目名】００３５
【補正方法】変更
【補正の内容】
【００３５】
（付記８）第１の電極を有する第１の基板と、第２の電極を有する第２の基板とが、配向膜及び液晶層を介してシール材により接合されてなる液晶表示装置の製造方法であって、
前記配向膜と前記シール材とをほぼ接触するように配置し、
前記液晶層を形成するに際して、
液晶分子を所定方向に配向させるためのモノマーを混入した液晶を用い、液晶分子が前記液晶層のほぼ全面に亘って同一の配向となるように前記液晶を注入した後、
前記モノマーを重合させて所定の配向パターンのポリマー構造物を形成し、前記液晶分子を前記ポリマー構造物により配向規制することを特徴とする液晶表示装置の製造方法。
【手続補正９】
【補正対象書類名】明細書
【補正対象項目名】００３６
【補正方法】変更
【補正の内容】
【００３６】
（付記９）前記シール材を前記配向膜まで内寄せ配置することを特徴とする付記８に記載の液晶表示装置の製造方法。
【手続補正１０】
【補正対象書類名】明細書
【補正対象項目名】００３７
【補正方法】変更
【補正の内容】
【００３７】
（付記１０）前記配向膜を前記シール材まで拡大配置することを特徴とする付記８に記載の液晶表示装置の製造方法。
【手続補正１１】
【補正対象書類名】明細書
【補正対象項目名】００３８
【補正方法】変更
【補正の内容】
【００３８】
（付記１１）第１の電極を有する第１の基板と、第２の電極を有する第２の基板とが、配向膜及び液晶層を介してシール材により接合されてなる液晶表示装置の製造方法であって、
前記配向膜と、前記第１の基板と前記第２の基板とを接合するシール材との間の領域の一部に撥油性樹脂を塗布し、
前記液晶層を形成するに際して、
液晶分子を所定方向に配向させるためのモノマーを混入した液晶を注入した後、
前記モノマーを重合させて所定の配向パターンのポリマー構造物を形成し、前記液晶分子を前記ポリマー構造物により配向規制することを特徴とする液晶表示装置の製造方法。
【手続補正１２】
【補正対象書類名】明細書
【補正対象項目名】００３９
【補正方法】変更
【補正の内容】
【００３９】
（付記１２）第１の電極を有する第１の基板と、第２の電極を有する第２の基板とが、配向膜及び液晶層を介してシール材により接合されてなる液晶表示装置の製造方法であって、
前記配向膜と、前記第１の基板と前記第２の基板とを接合するシール材との間の領域において、液晶注入部位と対向する部位を幅広に、その他の部位を幅狭に形成し、
液晶分子を所定方向に配向させるためのモノマーを混入した液晶を用い、液晶分子が前記幅広の領域を除き前記液晶層全面に亘って同一の配向となるように前記液晶を注入した後、
前記モノマーを重合させて所定の配向パターンのポリマー構造物を形成し、前記液晶分子を前記ポリマー構造物により配向規制することを特徴とする液晶表示装置の製造方法。
【手続補正１３】
【補正対象書類名】明細書
【補正対象項目名】００４０
【補正方法】変更
【補正の内容】
【００４０】
（付記１３）前記配向膜が垂直配向処理されてなるものであることを特徴とする付記８〜１２のいずれか１項に記載の液晶表示装置の製造方法。